(57)【要約】【課題】本体側の制御部からカメラモジュールを効率良く制御する。【解決手段】カメラモジュール２では、制御部３から送信された初期化モードの初期化処理が実行可能であるか否かを判断し、実行可能である場合には、カメラモジュール２を構成する各構成要素に対して各初期化モードに応じた初期化処理を実行する。初期化処理が実行不可能である場合には、実行不可能であること、及び実行可能な他の初期化モードを制御部３に送信する。【選択図】図１
2005347918.tif 000002
【特許請求の範囲】
【請求項１】
撮像手段及び当該撮像手段で取得された画像データを処理する第１の制御手段を含む構成要素で構成されたカメラモジュールと、前記第１の制御手段と制御線で接続された第２の制御手段を有する本体ユニットと、を備えた携帯用情報機器において、
前記第２の制御手段は、前記カメラモジュールの各構成要素に対する複数の初期化処理の中から予め設定された初期化処理を示す初期化モード情報を前記制御線を介して前記第１の制御手段に送信し、
前記第１の制御手段は、前記第２の制御手段から送信された初期化モード情報に基づいて前記カメラモジュールの各構成要素に対して前記設定された初期化処理を実行することを特徴とする携帯用情報機器。
【請求項２】
請求項１に記載の携帯用情報機器において、
前記第１の制御手段は、前記設定された初期化処理が実行可能であるか否かを判断することを特徴とする携帯用情報機器。
【請求項３】
請求項２に記載の携帯用情報機器において、
前記第１の制御手段は、前記設定された初期化処理が実行不可能であると判断した場合に、前記設定された初期化処理が実行不可能であることを前記第２の制御手段に送信することを特徴とする携帯用情報機器。
【請求項４】
請求項２又は３に記載の携帯用情報機器において、
前記第１の制御手段は、前記設定された初期化処理が実行不可能であると判断した場合に、当該カメラモジュール内において実行可能な初期化処理を示す初期化モード情報を前記第２の制御手段に送信することを特徴とする携帯用情報機器。
【請求項５】
請求項２に記載の携帯用情報機器において、
前記第１の制御手段は、前記設定された初期化処理の一部が実行不可能であると判断した場合に、前記設定された初期化処理のうち実行可能な構成要素の初期化のみを実行することを特徴とする携帯用情報機器。
【請求項６】
請求項５に記載の携帯用情報機器において、
前記第１の制御手段は、前記設定された初期化処理のうち初期化した構成要素、又は初期化できなかった構成要素を前記第２の制御手段に送信することを特徴とする携帯用情報機器。
【請求項７】
撮像手段及び当該撮像手段で取得された画像データを処理する第１の制御手段を含む構成要素で構成されたカメラモジュールと、前記第１の制御手段と制御線で接続され当該制御線を介して前記カメラモジュールを制御する第２の制御手段を有する本体ユニットと、を備えた携帯用情報機器において、
前記カメラモジュールは前記カメラモジュールの各構成要素に電力を供給する電源を備え、
前記カメラモジュールと前記第２の制御手段とを接続する信号線を備え、
前記第２の制御手段は、前記信号線を介して前記カメラモジュールの電源制御を行うことを特徴とする携帯用情報機器。
【請求項８】
請求項７に記載の携帯用情報機器において、
前記第２の制御手段は、前記信号線を介して前記カメラモジュールの電源を停止させることを特徴とする携帯用情報機器。
【請求項９】
請求項７又は８に記載の携帯用情報機器において、
前記信号線は、前記カメラモジュールの電源に直結していることを特徴とする携帯用情報機器。
【請求項１０】
請求項７〜９のいずれか一項に記載の携帯用情報機器において、
前記第２の制御手段は、前記第１の制御手段に前記カメラモジュールの電源制御を行うことを通知した後に、前記カメラモジュールの電源制御を行うことを特徴とする携帯用情報機器。
【発明の詳細な説明】
【技術分野】
【０００１】
本発明は、撮像動作を行うカメラモジュールと本体ユニットとを含む携帯用情報機器に関する。
【背景技術】
【０００２】
近年、デジタルカメラ等の撮像装置は、高機能化、低価格化が進み、急速に普及しつつある（例えば、特許文献１参照。）。デジタルカメラの小型化、軽量化に伴い、他の電子機器との機能の複合化が進み、例えば、携帯電話機やＰＨＳ（Personal Handyphone System）、ＰＤＡ（Personal Digital Assistant）等の携帯用情報機器にデジタルカメラを内蔵した機器が実用化されている。
【０００３】
また、電子機器の機能の充実と高度化に伴い、少なくとも２つの制御部を備え、一方をメイン制御部、他方をサブ制御部として、制御機能を分ける技術が提案されている。例えば、上記のようなカメラ付き携帯用情報機器において、撮像動作の制御を行うカメラ用制御部と、携帯用情報機器全体の制御を行う本体側の制御部と、を備えることにより、制御の効率化を図っている。
【０００４】
このカメラ用制御部及び撮像動作に必要な構成要素を含むカメラモジュールを、携帯用情報機器本体と独立して製造することにより、各種の携帯用情報機器に対応可能な汎用性のあるカメラモジュールを提供することができる。
【特許文献１】特開２００３−２７４３６５号公報
【発明の開示】
【発明が解決しようとする課題】
【０００５】
しかし、上記のようにカメラモジュールと本体側の制御部とを含む携帯用情報機器において、カメラモジュールの各構成要素の初期化を行う際、又はカメラモジュールの電源制御を行う際に、本体側の制御部からカメラモジュールを効率良く制御する方法はなかった。
【０００６】
本発明は上記の従来技術における問題に鑑みてなされたものであって、本体側の制御部からカメラモジュールを効率良く制御することができる携帯用情報機器を提供することを課題とする。
【課題を解決するための手段】
【０００７】
請求項１に記載の発明は、撮像手段及び当該撮像手段で取得された画像データを処理する第１の制御手段を含む構成要素で構成されたカメラモジュールと、前記第１の制御手段と制御線で接続された第２の制御手段を有する本体ユニットと、を備えた携帯用情報機器において、前記第２の制御手段は、前記カメラモジュールの各構成要素に対する複数の初期化処理の中から予め設定された初期化処理を示す初期化モード情報を前記制御線を介して前記第１の制御手段に送信し、前記第１の制御手段は、前記第２の制御手段から送信された初期化モード情報に基づいて前記カメラモジュールの各構成要素に対して前記設定された初期化処理を実行することを特徴とする。
【０００８】
請求項２に記載の発明は、請求項１に記載の携帯用情報機器において、前記第１の制御手段は、前記設定された初期化処理が実行可能であるか否かを判断することを特徴とする。
【０００９】
請求項３に記載の発明は、請求項２に記載の携帯用情報機器において、前記第１の制御手段は、前記設定された初期化処理が実行不可能であると判断した場合に、前記設定された初期化処理が実行不可能であることを前記第２の制御手段に送信することを特徴とする。
【００１０】
請求項４に記載の発明は、請求項２又は３に記載の携帯用情報機器において、前記第１の制御手段は、前記設定された初期化処理が実行不可能であると判断した場合に、当該カメラモジュール内において実行可能な初期化処理を示す初期化モード情報を前記第２の制御手段に送信することを特徴とする。
【００１１】
請求項５に記載の発明は、請求項２に記載の携帯用情報機器において、前記第１の制御手段は、前記設定された初期化処理の一部が実行不可能であると判断した場合に、前記設定された初期化処理のうち実行可能な構成要素の初期化のみを実行することを特徴とする。
【００１２】
請求項６に記載の発明は、請求項５に記載の携帯用情報機器において、前記第１の制御手段は、前記設定された初期化処理のうち初期化した構成要素、又は初期化できなかった構成要素を前記第２の制御手段に送信することを特徴とする。
【００１３】
請求項７に記載の発明は、撮像手段及び当該撮像手段で取得された画像データを処理する第１の制御手段を含む構成要素で構成されたカメラモジュールと、前記第１の制御手段と制御線で接続され当該制御線を介して前記カメラモジュールを制御する第２の制御手段を有する本体ユニットと、を備えた携帯用情報機器において、前記カメラモジュールは前記カメラモジュールの各構成要素に電力を供給する電源を備え、前記カメラモジュールと前記第２の制御手段とを接続する信号線を備え、前記第２の制御手段は、前記信号線を介して前記カメラモジュールの電源制御を行うことを特徴とする。
【００１４】
請求項８に記載の発明は、請求項７に記載の携帯用情報機器において、前記第２の制御手段は、前記信号線を介して前記カメラモジュールの電源を停止させることを特徴とする。
【００１５】
請求項９に記載の発明は、請求項７又は８に記載の携帯用情報機器において、前記信号線は、前記カメラモジュールの電源に直結していることを特徴とする。
【００１６】
請求項１０に記載の発明は、請求項７〜９のいずれか一項に記載の携帯用情報機器において、前記第２の制御手段は、前記第１の制御手段に前記カメラモジュールの電源制御を行うことを通知した後に、前記カメラモジュールの電源制御を行うことを特徴とする。
【発明の効果】
【００１７】
請求項１に記載の発明によれば、第１の制御手段は、第２の制御手段から送信された初期化モード情報に基づいて、カメラモジュールを構成する各構成要素に対して、設定された初期化処理を実行するので、カメラモジュールの各構成要素の初期化を実行する際に、第２の制御手段からカメラモジュールを効率良く制御することができる。
【００１８】
請求項２に記載の発明によれば、第１の制御手段は、設定された初期化処理が実行可能であるか否かを判断することができる。
【００１９】
請求項３に記載の発明によれば、第１の制御手段は、設定された初期化処理が実行不可能であると判断した場合に、設定された初期化処理が実行不可能であることを第２の制御手段に送信するので、設定された初期化処理が実行不可能であることを第２の制御手段が認識することができる。
【００２０】
請求項４に記載の発明によれば、第１の制御手段は、設定された初期化処理が実行不可能であると判断した場合に、カメラモジュール内において実行可能な初期化処理を示す初期化モード情報を第２の制御手段に送信するので、実行可能な初期化処理を示す初期化モード情報を第２の制御手段が認識することができる。
【００２１】
請求項５に記載の発明によれば、第１の制御手段は、設定された初期化処理の一部が実行不可能であると判断した場合に、設定された初期化処理のうち実行可能な構成要素の初期化のみを実行するので、設定された初期化処理を可能な範囲で実行することができる。
【００２２】
請求項６に記載の発明によれば、第１の制御手段は、設定された初期化処理のうち初期化した構成要素、又は初期化できなかった構成要素を第２の制御手段に送信するので、初期化した構成要素、又は初期化できなかった構成要素を第２の制御手段が認識することができる。
【００２３】
請求項７に記載の発明によれば、制御線とは別に、カメラモジュールと第２の制御手段とを接続する信号線を備え、第２の制御手段は、信号線を介してカメラモジュールの電源制御を行うので、第２の制御手段からカメラモジュールを効率良く制御することができる。
【００２４】
請求項８に記載の発明によれば、第２の制御手段は、信号線を介してカメラモジュールの電源を停止させるので、カメラモジュール単独では復帰が不可能な場合にも対応することができる。
【００２５】
請求項９に記載の発明によれば、信号線がカメラモジュールの電源に直結しているので、直接カメラモジュールの電源を停止させることができる。
【００２６】
請求項１０に記載の発明によれば、第２の制御手段は、第１の制御手段にカメラモジュールの電源制御を行うことを通知した後に、カメラモジュールの電源制御を行うことができる。
【発明を実施するための最良の形態】
【００２７】
［第１の実施の形態］
まず、本発明の第１の実施の形態につき、図１〜図４を参照して説明する。
図１に、第１の実施の形態における携帯用情報機器１の機能的構成を示す。携帯用情報機器１は、カメラモジュール２と、制御部３と、を備えて構成され、カメラモジュール２と制御部３とは制御線Ｌで接続されている。制御線Ｌとして、ＵＡＲＴ（Universal Asynchronous Receiver Transmitter）やＩＩＣ（Inter-Integrated Circuit）等が用いられる。携帯用情報機器１を構成する構成部のうち、カメラモジュール２及び制御部３以外のものについては図示を省略する。
【００２８】
カメラモジュール２は、Ｍ−ＣＰＵ（Micro-Central Processing Unit）４、ズームレンズ５、フォーカスレンズ６、絞り（アイリス）７、シャッタ８、ドライバ９，１０，１１，１２、センサ１３、ＡＦＥ（Analog Front End）１４、ＤＳＰ（Digital Signal Processor）１５、Ｉ／Ｆ回路１６、ストロボ１７、ドライバ１８、ＤＣ／ＤＣ回路１９、フラッシュＲＯＭ２０、カードＩ／Ｆ回路２１を備える。
【００２９】
Ｍ−ＣＰＵ４は、フラッシュＲＯＭ２０に記憶されている各種制御プログラムに従って、カメラモジュール２全体の動作を制御する。Ｍ−ＣＰＵ４は、制御線Ｌを介して制御部３と接続されている。
【００３０】
具体的に、Ｍ−ＣＰＵ４は、制御部３から送信された初期化モードに基づいて、カメラモジュール２の各構成要素に対して初期化処理を実行する。
【００３１】
ズームレンズ５は、センサ１３に結像される被写体の大きさ（画角）を変更する光学レンズであり、フォーカスレンズ６は、センサ１３に結像される被写体のピントを調整する光学レンズである。絞り７は、ズームレンズ５及びフォーカスレンズ６の開口部の大きさを調整し、センサ１３上に露光される被写体の光量を調整する。シャッタ８は、センサ１３上に露光される被写体の光量を、機械的に開放／遮断することにより調整する。ドライバ９，１０，１１，１２は、それぞれ、ズームレンズ５、フォーカスレンズ６、絞り７、シャッタ８を、ステップモータ等のアクチュエータを介して駆動する。
【００３２】
センサ１３は、結像された光画像を電気信号（光量に応じた電荷量）に光電変換し、ＡＦＥ１４に出力する。センサ１３として、ＣＣＤ（Charge Coupled Device）センサ、ＣＭＯＳ（Complementary Metal Oxide Semiconductor）センサ等が用いられる。
【００３３】
ＡＦＥ１４は、センサ駆動回路、センサ出力のノイズを軽減させるＣＤＳ（Correlated Double Sampling：相関二重サンプリング）回路、信号の増幅を行うＡＧＣ（Automatic Gain Control：自動利得制御）回路、Ａ／Ｄ変換回路等から構成され、ＤＳＰ１５へデジタル画像データを出力する。
【００３４】
ＤＳＰ１５は、入力されたデジタル画像データに対し、輝度処理や色処理を施し、デジタルビデオ信号（例えば、輝度信号と色差信号）に変換する。ここで、デジタルビデオ信号とは、画像を表現する信号全般をいい、ビデオフォーマットに制限されたものではない。
【００３５】
Ｉ／Ｆ回路１６は、制御部３に画像データ（デジタルビデオ信号）を出力するインターフェイス回路である。ここで、画像データは、転送フォーマットに準じた形式に変換される。
【００３６】
ストロボ１７は、被写体の光量が不足した場合等に、ドライバ１８により駆動され、発光する。
【００３７】
ＤＣ／ＤＣ回路１９は、カメラモジュール２の全回路で必要な電力の生成、又は電力供給の制御を行う電源回路である。
【００３８】
フラッシュＲＯＭ２０は、電気的に消去及び書き換えが可能な不揮発性メモリであり、Ｍ−ＣＰＵ４により実行される各種制御プログラム、複数の初期化モードに対応した複数の初期化処理においてカメラモジュール２を構成する各構成要素のどの構成要素に対して初期化を実行するかという情報（図２参照）、前回の動作時に不具合があった構成要素に関する情報等を記憶している。
【００３９】
カードＩ／Ｆ回路２１は、画像データ（デジタルビデオ信号）を記憶媒体（メモリカード等）に記録するときに使用するインターフェイス回路であり、後述する調整モード又はバージョンアップモード時に使用される。ここで、画像データは、記憶媒体の記録フォーマットに準じた形式に変換される。なお、圧縮処理が必要な場合には、カードＩ／Ｆ回路２１又はＤＳＰ１５で処理を行う。
【００４０】
制御部３は、携帯用情報機器１全体を統括的に制御する。制御部３は、カメラ付き携帯用情報機器の本体制御部、カメラモジュール２の出荷前に調整を行う際の試験機等に相当する。
【００４１】
図２に、各初期化モードに対応した初期化処理において、カメラモジュール２を構成する各構成要素の初期化を実行するか否かを示す。これらの情報は、フラッシュＲＯＭ２０に記憶されている。図２において、「○」は初期化が必要、「×」は初期化が不要、「−」は不問、「△」はカードＩ／Ｆ回路２１からバージョンアップを行う場合には初期化が必要、制御部３からバージョンアップを行う場合には初期化が不要であることを示している。
【００４２】
製品モード（フル動作）は、制御部３がカメラ付き携帯用情報機器の本体制御部の場合であって、図２に示すように、ズームレンズ５、フォーカスレンズ６、絞り７、シャッタ８、センサ系電源、ＡＦＥ１４、ＤＳＰ１５、ストロボ充電、Ｉ／Ｆ回路１６の初期化が実行される。製品モード（限定モード）は、制御部３がカメラ付き携帯用情報機器の本体制御部の場合であって、フォーカスレンズ６、シャッタ８、センサ系電源、ＡＦＥ１４、ＤＳＰ１５、Ｉ／Ｆ回路１６の初期化が実行される。調整モードは、制御部３が調整用の試験機であって、ズームレンズ５、フォーカスレンズ６、絞り７、シャッタ８、センサ系電源、ＡＦＥ１４、ＤＳＰ１５、ストロボ充電、カードＩ／Ｆ回路２１の初期化が実行される。バージョンアップモードは、制御部３がバージョンアップ専用の装置又はカメラ付き携帯用情報機器の本体制御部であって、Ｉ／Ｆ回路１６の初期化が実行される。カードＩ／Ｆ回路２１からバージョンアップを行う場合にはカードＩ／Ｆ回路２１の初期化も実行される。
【００４３】
次に、動作について説明する。
図３は、カメラモジュール２において実行される処理を説明するフローチャートである。
まず、電源が起動され（ステップＳ１）、Ｍ−ＣＰＵ４の初期化が行われ、制御線Ｌを介して制御部３と通信可能な状態になる。そして、カメラモジュール２は制御部３から送信される要求待機状態に入る。
【００４４】
次に、制御部３から、予め設定された初期化処理を示す初期化モードが送信され、カメラモジュール２により受信される（ステップＳ２；ＹＥＳ）。
【００４５】
受信された初期化モードが製品モード（フル動作）の場合には（ステップＳ３；ＹＥＳ）、フル動作用初期化処理が実行される（ステップＳ４）。
【００４６】
受信された初期化モードが製品モード（限定モード）の場合には（ステップＳ３；ＮＯ，ステップＳ５；ＹＥＳ）、限定モード用初期化処理が実行される（ステップＳ６）。
【００４７】
受信された初期化モードが調整モードの場合には（ステップＳ３；ＮＯ，ステップＳ５；ＮＯ，ステップＳ７；ＹＥＳ）、調整モード用初期化処理が実行される（ステップＳ８）。
【００４８】
受信された初期化モードがバージョンアップモードの場合には（ステップＳ３；ＮＯ，ステップＳ５；ＮＯ，ステップＳ７；ＮＯ，ステップＳ９；ＹＥＳ）、バージョンアップモード用初期化処理が実行される（ステップＳ１０）。
【００４９】
ここで、フル動作用初期化処理（図３のステップＳ４）について説明する。
図４は、フル動作用初期化処理１を示すフローチャートである。
【００５０】
まず、カメラモジュール２を構成する各構成要素のうち、フラッシュＲＯＭ２０に記憶されている不具合のある構成要素が確認される（ステップＳ１１）。そして、フル動作用初期化処理において初期化が必要な構成要素（図２参照）と、不具合のある構成要素とが比較され、フル動作用初期化処理が実行可能であるか否かが判断される（ステップＳ１２）。
【００５１】
フル動作用初期化処理が実行可能であると判断された場合には（ステップＳ１２；ＹＥＳ）、図２の製品モード（フル動作）に示したように、カメラモジュール２を構成する各構成要素に対してフル動作用初期化処理が実行される（ステップＳ１３）。そして、フル動作用初期化処理が完了した場合には（ステップＳ１４；ＹＥＳ）、処理が終了する。
【００５２】
フル動作用初期化処理が実行不可能であると判断された場合には（ステップＳ１２；ＮＯ）、フル動作用初期化処理は実行されず（ステップＳ１５）、フル動作用初期化処理が実行不可能であることが制御部３に送信される（ステップＳ１６）。さらに、不具合のある構成要素に基づいて、カメラモジュール２内において実行可能な他の初期化モードが制御部３に送信される（ステップＳ１７）。
【００５３】
フル動作用初期化処理を実行しようと試みたが、フル動作用初期化処理が完了しなかった場合（ステップＳ１４；ＮＯ）、すなわち、フル動作用初期化処理が開始された後に不具合が見つかった場合には、初期化を実行した構成要素が初期化前の元の状態に戻される（ステップＳ１８）。例えば、沈胴式のレンズの場合には、初期化するとレンズが繰り出されるが、これを元の状態に戻す。また、初期化によりセンサ１３の電源をＯＮした場合には、電源をＯＦＦする。ただし、既に実行された構成要素の初期化が、データ値の設定等、外観、消費電力等の変化を伴わない場合には、次に初期化を実行する際に上書きすればよいので、元の状態に戻す必要はない。そして、フル動作用初期化処理が実行不可能であること及び実行可能な他の初期化モードが制御部３に送信される（ステップＳ１６，Ｓ１７）。
【００５４】
限定モード用初期化処理、調整モード用初期化処理、バージョンアップモード用初期化処理についても、図２に示したように、各初期化モードに応じて初期化する構成要素がそれぞれ異なること以外は、フル動作用初期化処理１の場合と同様であるので、説明を省略する。
【００５５】
以上説明したように、第１の実施の形態の携帯用情報機器１によれば、Ｍ−ＣＰＵ４は、制御部３から送信された初期化モードに基づいて、カメラモジュール２を構成する各構成要素に対して、設定された初期化処理を実行するので、カメラモジュール２の各構成要素の初期化を実行する際に、制御部３からカメラモジュール２を効率良く制御することができる。
【００５６】
また、Ｍ−ＣＰＵ４は、設定された初期化処理が実行不可能であると判断した場合に、設定された初期化処理が実行不可能であることを制御部３に送信するので、設定された初期化処理が実行不可能であることを制御部３が認識することができる。
【００５７】
また、Ｍ−ＣＰＵ４は、設定された初期化処理が実行不可能であると判断した場合に、カメラモジュール２内において実行可能な初期化モードを制御部３に送信するので、実行可能な初期化モードを制御部３が認識することができる。
【００５８】
［第２の実施の形態］
次に、本発明を適用した第２の実施の形態について説明する。
第２の実施の形態における携帯用情報機器は、第１の実施の形態に示した携帯用情報機器１と同様の構成であるため、同一の構成部分については同一の符号を付し、図示及び説明を省略する。以下、第２の実施の形態に特徴的な処理について説明する。
【００５９】
また、動作においても、制御部３から送信された初期化モードに応じて実行すべき初期化処理を判断する処理については、第１の実施の形態で説明した図３に示す処理と同様であるため、説明を省略する。
【００６０】
図５は、フル動作用初期化処理２を示すフローチャートである。
まず、カメラモジュール２を構成する各構成要素のうち、フラッシュＲＯＭ２０に記憶されている不具合のある構成要素が確認される（ステップＳ２１）。そして、フル動作用初期化処理において初期化が必要な構成要素（図２参照）と、不具合のある構成要素とが比較され、フル動作用初期化処理が実行可能であるか否かが判断される（ステップＳ２２）。
【００６１】
フル動作用初期化処理が実行可能であると判断された場合には（ステップＳ２２；ＹＥＳ）、カメラモジュール２を構成する各構成要素に対してフル動作用初期化処理が実行される（ステップＳ２３）。
【００６２】
フル動作用初期化処理が実行不可能であると判断された場合には（ステップＳ２２；ＮＯ）、初期化が実行可能な構成要素に対してのみ、初期化が実行される（ステップＳ２４）。そして、初期化した構成要素、又は初期化できなかった構成要素が制御部３に送信される（ステップＳ２５）。
【００６３】
限定モード用初期化処理、調整モード用初期化処理、バージョンアップモード用初期化処理についても、図２に示したように、各初期化モードに応じて初期化する構成要素がそれぞれ異なること以外は、フル動作用初期化処理２の場合と同様であるので、説明を省略する。
【００６４】
以上説明したように、第２の実施の形態の携帯用情報機器によれば、Ｍ−ＣＰＵ４は、設定された初期化処理の一部が実行不可能であると判断した場合に、設定された初期化処理のうち実行可能な構成要素の初期化のみを実行するので、設定された初期化処理を可能な範囲で実行することができる。
【００６５】
また、Ｍ−ＣＰＵ４は、設定された初期化処理のうち初期化した構成要素、又は初期化できなかった構成要素を制御部３に送信するので、初期化した構成要素、又は初期化できなかった構成要素を制御部３が認識することができる。
【００６６】
［第３の実施の形態］
次に、本発明を適用した第３の実施の形態について説明する。
図６に、第３の実施の形態における携帯用情報機器３１の機能的構成を示す。携帯用情報機器３１は、第１の実施の形態に示した携帯用情報機器１と同様の構成であるため、同一の構成部分については同一の符号を付し、その構成については説明を省略する。以下、第３の実施の形態に特徴的な構成及び処理について説明する。
【００６７】
図６に示すように、カメラモジュール２と制御部３とは、信号線Ｍにより接続されている。この信号線Ｍは、カメラモジュール２のＤＣ／ＤＣ回路１９に直結している。
【００６８】
図７は、カメラモジュール２と制御部３の動作を示すはしご図である。
図７に示すように、まず、制御部３により、カメラモジュール２の電源が起動される（ステップＳ３１，Ｓ３２）。このとき、制御部３から信号線Ｍを介してカメラモジュール２のＤＣ／ＤＣ回路１９に信号が送られ、カメラモジュール２に電源が供給される。
【００６９】
次に、カメラモジュール２にて初期化処理が行われ（ステップＳ３３）、初期化処理が完了したことが制御部３に通知される（ステップＳ３４）。その後、通常の撮影動作が実行される。
【００７０】
続いて、電源を停止する際の動作を説明する。
図７に示すように、制御部３からカメラモジュール２に電源を停止することが通知される（ステップＳ３５）。カメラモジュール２では、Ｍ−ＣＰＵ４により、Ｍ−ＣＰＵ４を除く各構成要素の動作を停止させる等の電源停止前処理が行われる（ステップＳ３６）。電源停止前処理完了後、カメラモジュール２から制御部３に電源停止前処理が完了したことが通知される（ステップＳ３７）。
【００７１】
そして、制御部３により、カメラモジュール２の電源が停止される（ステップＳ３８，Ｓ３９）。このとき、制御部３から信号線Ｍを介してカメラモジュール２のＤＣ／ＤＣ回路１９に信号が送られ、電源が停止される。
【００７２】
以上説明したように、第３の実施の形態の携帯用情報機器３１によれば、制御線Ｌとは別に、カメラモジュール２と制御部３とを接続する信号線Ｍを備え、制御部３が信号線Ｍを介してカメラモジュール２の電源制御を行うので、制御部３からカメラモジュール２を効率良く制御することができる。
【００７３】
また、制御部３は、信号線Ｍを介してカメラモジュール２の電源を停止させるので、カメラモジュール２単独では復帰が不可能な場合にも対応することができる。
【００７４】
なお、第３の実施の形態の携帯用情報機器３１では、カメラモジュール２と制御部３とを接続する信号線Ｍが、カメラモジュール２のＤＣ／ＤＣ回路１９に接続されていたが、信号線Ｍがカメラモジュール２のＭ−ＣＰＵ４に接続されていてもよい。この場合、制御部３は信号線Ｍを介してＭ−ＣＰＵ４に信号を送り、カメラモジュール２の電源制御を行う。具体的には、カメラモジュール２の電源を起動する際には、Ｍ−ＣＰＵ４のみに電源を供給し、Ｍ−ＣＰＵ４をスリープ状態からスタンバイ状態にする。また、カメラモジュール２の電源を停止させる際には、Ｍ−ＣＰＵ４のみを停止させ、スリープ状態にする。
【００７５】
また、第３の実施の形態の携帯用情報機器３１では、制御部３からカメラモジュール２に電源を停止することを通知した後にカメラモジュール２の電源を停止させることとしたが、早急に電源を停止させる必要が生じた場合（制御部３を含めた電源供給量の低下時等）には、制御部３からカメラモジュール２に電源を停止することを通知せずにカメラモジュール２の電源を停止させることとしてもよい。
【００７６】
なお、上記各実施の形態における記述は、本発明に係る好適な携帯用情報機器の例であり、これに限定されるものではない。携帯用情報機器を構成する各部の細部構成及び細部動作に関しても本発明の趣旨を逸脱することのない範囲で適宜変更可能である。
【図面の簡単な説明】
【００７７】
【図１】本発明の第１の実施の形態における携帯用情報機器１の機能的構成を示すブロック図である。
【図２】各初期化モードにおいて、カメラモジュール２を構成する各構成要素の初期化を実行するか否かを示す図である。
【図３】カメラモジュール２において実行される処理を説明するフローチャートである。
【図４】フル動作用初期化処理１を示すフローチャートである。
【図５】本発明の第２の実施の形態におけるフル動作用初期化処理２を示すフローチャートである。
【図６】本発明の第３の実施の形態における携帯用情報機器３１の機能的構成を示すブロック図である。
【図７】カメラモジュール２と制御部３の動作を示すはしご図である。
【符号の説明】
【００７８】
１，３１  携帯用情報機器
２  カメラモジュール
４  Ｍ−ＣＰＵ
５  ズームレンズ
６  フォーカスレンズ
７  絞り（アイリス）
８  シャッタ
９，１０，１１，１２  ドライバ
１３  センサ
１４  ＡＦＥ
１５  ＤＳＰ
１６  Ｉ／Ｆ回路
１７  ストロボ
１８  ドライバ
１９  ＤＣ／ＤＣ回路
２０  フラッシュＲＯＭ
２１  カードＩ／Ｆ回路
３  制御部
Ｌ  制御線
Ｍ  信号線
【図１】
2005347918.tif 000003
【図２】
2005347918.tif 000004
【図３】
2005347918.tif 000005
【図４】
2005347918.tif 000006
【図５】
2005347918.tif 000007
【図６】
2005347918.tif 000008
【図７】
2005347918.tif 000009